(57)【特許請求の範囲】
【請求項１】
上半身に装着する上半身固定部材と、
一端を前記上半身固定部材に連結し、他端をグラブ又はグラブを着用する手首近傍に取り付け、ゴロの捕球体勢において、前記グラブと連動してゴロに正対し、膝を屈曲し腰を落とした体勢に前記上半身を前傾させる長さを備える連結部材と、
を備えてなることを特徴とする野球等のゴロ捕球用練習具。
【請求項２】
前記グラブを着用する手首に巻回して固定され、前記連結部材の他端が連結される手首固定部材をさらに備えることを特徴とする請求項１に記載の野球等のゴロ捕球用練習具。
【請求項３】
前記上半身固定部材は、頸部に巻回して固定される頸部固定部材であることを特徴とする請求項１又は２に記載の野球等のゴロ捕球用練習具。
【請求項４】
前記上半身固定部材は、肩部に巻回して固定される肩部固定部材であることを特徴とする請求項１又は２に記載の野球等のゴロ捕球用練習具。
【請求項５】
前記連結部材は長さ調節機構を備えてなることを特徴とする請求項1乃至４の何れか一に記載の野球等のゴロ捕球用練習具。
【発明の詳細な説明】
【技術分野】
【０００１】
本発明は、野球やソフトボール等の守備用の練習具に関するものであり、より詳しくは、野球やソフトボール等の守備において、ゴロを捕球する際の正しい捕球姿勢を身につける練習に用いる野球等のゴロ捕球用練習具に関する。
【背景技術】
【０００２】
従来、この種の野球等のゴロ捕球用練習具については、例えば特開２０１０−８８７１５号公報（特許文献１）に記載のものが公知である。前記公報に記載の野球等のゴロ捕球用練習具は、グラブを持つ左右いずれかの手の上腕部と前腕部に別々に巻きつけて固定する上腕部用ベルトと、前腕部用ベルトと、この両ベルトを繋ぐ連結ベルトと、この連結ベルトのほぼ中央部に一端が取り付けられ、伸びでた他端がユニホームの腰ベルトに取り付けられて実質的な長さが調整自在な固定ベルトからなるゴロ捕球用練習具であり、捕球する際に肘が身体に近い所にいつも在ることを意識して捕球することで、腰高では低いゴロの捕球が出来ないことを習得させるものであって、正しい捕球体勢を体感させることより捕球体勢の矯正を容易にするとともに、正しい捕球体勢の指導を補助するためのものである。
【先行技術文献】
【特許文献】
【０００３】
【特許文献１】特開２０１０−８８７１５号公報    図３、段落０００７
【発明の概要】
【発明が解決しようとする課題】
【０００４】
しかしながら、前記特許文献１に記載された前記野球等のゴロ捕球用練習具は、グラブを持つ左右いずれかの手の上腕部と前腕部と腰ベルトとを連結している構成であるため、グラブを体側に近い場所で維持しているだけである。
【０００５】
一方で、ゴロを捕球する際の正しい捕球姿勢は、ゴロに正対し、膝を屈曲し腰を落とした体勢で上半身を前傾する姿勢である。したがって、前記従来の野球等のゴロ捕球用練習具では、単に、前記グラブを体側に近い場所で維持しているだけであって、膝を屈曲し腰を落とした体勢で上半身を前傾する正しい捕球姿勢をとるには不適合である。
【０００６】
本発明は、かかる点に鑑みてなされたものであり、その目的とするところは、ゴロを捕球する際の正しい捕球姿勢である、ゴロに正対し、かつ、膝を屈曲し腰を落とした体勢で上半身を前傾する捕球姿勢を身につけるための野球等のゴロ捕球用練習具を提供することにある。
【課題を解決するための手段】
【０００７】
請求項１に係る野球等のゴロ捕球用練習具は、上半身に装着する上半身固定部材と、一端を前記上半身固定部材に連結し、他端をグラブ又はグラブを着用する手首近傍に取り付け、ゴロの捕球体勢において、前記グラブと連動して膝を屈曲し腰を落とした体勢に前記上半身を前傾させる長さを備える連結部材と、を備えてなることを特徴とする。
【０００８】
請求項１に係る野球等のゴロ捕球用練習具にあっては、上半身に装着する上半身固定部材と、一端を前記上半身固定部材に連結し、他端をグラブ又はグラブを着用する手首近傍に取り付け、ゴロの捕球体勢において、前記グラブと連動して膝を屈曲し腰を落とした体勢に前記上半身を前傾させる長さを備える連結部材とを備えるので、ゴロを捕球する際に、前記グラブを地面に向かい下げると、前記グラブと連動して前記連結部材が上半身固定部材を下方に引っ張り、前記グラブと連動して前記上半身を前傾させ、これにより、正しい捕球姿勢である、ゴロに正対し、かつ、膝を屈曲し腰を落とした体勢で上半身を前傾する捕球姿勢を強制的に取らせることができる。
【０００９】
請求項２に係る野球等のゴロ捕球用練習具は、請求項１に記載の野球等のゴロ捕球用練習具において、前記グラブを着用する手首に巻回して固定され、前記連結部材の他端が連結される手首固定部材をさらに備えることを特徴とする。
【００１０】
請求項２に係る野球等のゴロ捕球用練習具にあっては、請求項１に記載の野球等のゴロ捕球用練習具に加えて、前記グラブを着用する手首に巻回して固定され、前記連結部材の他端が連結される手首固定部材を備えているので、ゴロを捕球する際に、前記グラブを地面に向かい下げると、前記グラブと連動する手首に前記連結部材が連結されているので、前記肩部固定部材を下方に引っ張る際に、安定して力を伝えることができる。
【００１１】
請求項３に係る野球等のゴロ捕球用練習具は、請求項１又は２に記載の野球等のゴロ捕球用練習具において、前記上半身固定部材は、頸部に巻回して固定される頸部固定部材であることを特徴とする。
【００１２】
請求項３に係る野球等のゴロ捕球用練習具にあっては、請求項１又は２に記載の野球等のゴロ捕球用練習具に加えて、前記上半身固定部材は、頸部に巻回して固定される頸部固定部材であるので、ゴロを捕球する際に、前記グラブを地面に向かい下げると、前記グラブと連動して、前記頸部固定部材を下方に引っ張るので、確実に前記グラブと連動して前記上半身を前傾させることができる。
【００１３】
請求項４に係る野球等のゴロ捕球用練習具は、請求項１又は２に記載の野球等のゴロ捕球用練習具において、前記上半身固定部材は、肩部に巻回して固定される肩部固定部材であることを特徴とする。
【００１４】
請求項４に係る野球等のゴロ捕球用練習具にあっては、請求項１乃至３の何れか一に記載の野球等のゴロ捕球用練習具に加えて、前記上半身固定部材は、肩部に巻回して固定される肩部固定部材であるので、ゴロを捕球する際に、前記グラブを地面に向かい下げると、前記グラブと連動して、前記肩部固定部材を下方に引っ張るので、前記肩部固定部材を下方に引っ張る際に、安定して力を伝えることができる。
【００１５】
請求項５に係る野球等のゴロ捕球用練習具は、請求項１乃至４の何れか一に記載の野球等のゴロ捕球用練習具において、前記連結部材は長さ調節機構を備えてなることを特徴とする。
【００１６】
請求項５に係る野球等のゴロ捕球用練習具にあっては、請求項１乃至４の何れか一に記載の野球等のゴロ捕球用練習具に加えて、前記連結部材は長さ調節機構を備えているので、ゴロを捕球する際に、前記グラブを地面に向かい下げると、前記グラブと連動して前記連結部材が肩部固定部材を下方に引っ張り、前記グラブと連動して前記上半身を最適な位置で前傾させることができる。
【００１７】
また、前記野球等のゴロ捕球用練習具を販売する際に、使用するプレイヤーの体型に対応させるために、複数の長さの前記連結部材を用意する必要がなくなり、利便性に供することができる。
【００１８】
なお、ここで、野球等というのは、野球及びソフトボール並びにこれらに類する球技を意味する。
【発明の効果】
【００１９】
請求項１に記載の野球等のゴロ捕球用練習具によれば、上半身に装着する上半身固定部材と、一端を前記上半身固定部材に連結し、他端をグラブ又はグラブを着用する手首近傍に取り付け、ゴロの捕球体勢において、前記グラブと連動して膝を屈曲し腰を落とした体勢に前記上半身を前傾させる長さを備える連結部材とを備えるので、ゴロを捕球する際に、前記グラブを地面に向かい下げると、前記グラブと連動して前記連結部材が前記上半身固定部材を下方に引っ張り、前記グラブと連動して前記上半身を前傾させ、これにより、正しい捕球姿勢である、ゴロに正対し、かつ、膝を屈曲し腰を落とした体勢で上半身を前傾する捕球姿勢を強制的に取らせることができる。
【００２０】
請求項２に記載の野球等のゴロ捕球用練習具によれば、請求項１に記載の野球等のゴロ捕球用練習具に加えて、前記グラブを着用する手首に巻回して固定され、前記連結部材の他端が連結される手首固定部材を備えているので、ゴロを捕球する際に、前記グラブを地面に向かい下げると、前記グラブと連動する手首に前記連結部材が連結されているので、前記肩部固定部材を下方に引っ張る際に、安定して力を伝えることができる。
【００２１】
請求項３に記載の野球等のゴロ捕球用練習具によれば、請求項１又は２に記載の野球等のゴロ捕球用練習具に加えて、前記上半身固定部材は、頸部に巻回して固定される頸部固定部材であるので、ゴロを捕球する際に、前記グラブを地面に向かい下げると、前記グラブと連動して、前記頸部固定部材を下方に引っ張るので、確実に前記グラブと連動して前記上半身を前傾させることができる。
【００２２】
請求項４に記載の野球等のゴロ捕球用練習具によれば、請求項１乃至３の何れか一に記載の野球等のゴロ捕球用練習具に加えて、前記上半身固定部材は、肩部に巻回して固定される肩部固定部材であるので、ゴロを捕球する際に、前記グラブを地面に向かい下げると、前記グラブと連動して、前記肩部固定部材を下方に引っ張るので、前記肩部固定部材を下方に引っ張る際に、安定して力を伝えることができる。
【００２３】
請求項５に記載の野球等のゴロ捕球用練習具によれば、請求項１乃至４の何れか一に記載の野球等のゴロ捕球用練習具に加えて、前記連結部材は長さ調節機構を備えているので、ゴロを捕球する際に、前記グラブを地面に向かい下げると、前記グラブと連動して前記連結部材が肩部固定部材を下方に引っ張り、前記グラブと連動して前記上半身を最適な位置で前傾させることができる。
【００２４】
また、前記野球等のゴロ捕球用練習具を販売する際に、使用するプレイヤーの体型に対応させるために、複数の長さの前記連結部材を用意する必要がなくなり、利便性に供することができる。
【図面の簡単な説明】
【００２５】
【図１】本発明に係る野球等のゴロ捕球用練習具の第１実施形態の斜視図である。
【図２】本発明に係る野球等のゴロ捕球用練習具の連結具の要部拡大斜視図である。
【図３】本発明に係る第１実施形態の着用例及び実現される捕球姿勢例を示す概略図である。
【図４】本発明に係る第２実施形態の斜視図である。
【図５】本発明に係る第３実施形態の斜視図である。
【図６】本発明に係る第４実施形態の斜視図である。
【図７】本発明に係る第５実施形態の斜視図である。
【図８】本発明に係る第５実施形態の着用例及び実現される捕球姿勢例を示す概略図である。
【図９】本発明に係る第５実施形態の着用例及び実現される捕球姿勢例を示す概略図である。
【図１０】本発明に係る第６実施形態の斜視図である。
【図１１】本発明に係る第７実施形態の斜視図である。
【図１２】本発明に係る第７実施形態の着用例及び実現される捕球姿勢例を示す概略図である。
【図１３】本発明に係るゴロ捕球用練習具の第８実施形態の斜視図である。
【図１４】第８実施形態の長さ調整部材を示す斜視図である。
【図１５】長さ調整を行った第８実施形態の連結部材の斜視図である。
【図１６】第８実施形態の使用状態を示す斜視図である。
【発明を実施するための最良の形態】
【００２６】
以下、本発明に係る野球等のゴロ捕球用練習具の実施の形態について、図面に従って説明する。
【００２７】
（第１実施形態）
【００２８】
図１は本発明に係るゴロ捕球用練習具の第１実施形態の斜視図であり、図２は同連結具の要部拡大斜視図であり、図３は同使用状態を示す斜視図である。
【００２９】
図１乃至図３において、１０は本発明に係るゴロ捕球用練習具の第１実施形態である。前記ゴロ捕球用練習具１０は、頸部Ｎ（図３参照）に巻回する頸部固定材１１と、野球又はソフトボールのグラブＧを嵌める手の手首Ｗ（図３参照）に巻回して固定する手首固定部材１３と、前記頸部固定部材１１と前記手首固定部材１３とを連結する連結部材１２とから構成されている。
【００３０】
前記頸部固定部材１１は、合成繊維又は不織布等で形成される幅広の帯状の頸部固定部材本体１１ａから形成されており、前記頸部固定部材本体１１ａの一端内側には係止用の面ファスナ１１ｂが縫着されると共に、前記頸部固定部材本体１１ａの他端外側には前記面ファスナ１１ｂに対応する位置に係止用の面ファスナ１１ｃが縫着されている。また、前記頸部固定部材本体１１ａの長さ方向の略中央には、連結用のリング体１１ｄが前記前記頸部固定部材本体１１ａに嵌挿された状態で縫着固定されている。
【００３１】
前記手首固定部材１３は、前記頸部固定部材本体１１ａと同様に、合成繊維又は不織布等で形成される幅広の帯状の手首固定部材本体１３ａから形成されており、前記手首固定部材本体１３ａの一端は、連結用リング体１３ｃと固定用リング体１３ｄとを挿通した状態で折り返して前記手首固定部材本体１３ａに縫着して環状部１３ｂを形成している。一方、前記手首固定部材本体１３ａの他端内側には係止用の面ファスナ１３ｅが縫着されると共に、前記手首固定部材本体１３ａの本体外側の対応する位置には係止用の面ファスナ１３ｆが縫着されている。
【００３２】
前記連結部材１２は、ゴム製の紐体からなる連結部材本体１２ａの両端に、合成樹脂により成型される連結用フック体１２ｂを夫々配するものである。
【００３３】
図１及び図２において詳細に示すように、前記連結用フック体１２ｂの先端は鈎状のフック１２ｃを形成しており、前記フック１２ｃの開放部には揺動可能な係止部１２ｄを前記フック１２ｃの先端内側において、外方に向かい付勢するように開閉自在に係合させている。
【００３４】
また、前記連結用フック体１２ｂの背部には、前記連結部材本体１２ａを巻き付けて固定するための巻回用押さえ部１２ｅを形成している。前記巻回用押さえ部１２ｅは、縦断面略Ｔ字状からなるもので、両側にそれぞれ第１強制嵌合溝１２ｇ及び第２強制嵌合溝１２ｈを下方に向け穿設している。なお、前記連結部材本体１２ａの端部には、長さ調整後の端部処理のために結合部材１２ｆを取り付けている。
【００３５】
前記連結用フック体１２ｂには、前記連結部材本体１２ａを根本から遊挿させてＵ字状に案内する挿通孔（図示せず）が開孔しており、前記挿通孔（図示せず）に予め挿通された前記連結部材本体１２ａのいずれか一方を引っ張ることにより長さを調整することができる。
【００３６】
前記連結部材１２の長さを調整する場合は、先ず、図２（ａ）に示すように、前記連結用フック体１２ｂに、Ｕ字状に遊挿された前記連結部材本体１２ａのいずれか一方を引っ張ることにより長さを調整する。そして、所望の長さに調整後に、図２（ｂ）に示すように、前記連結部材本体１２ａの残余部を、前記巻回用押さえ部１２ｅの前記第１強制嵌合溝１２ｇと前記第２強制嵌合溝１２ｈに巻き付けるように固定し、前記連結部材本体１２ａの残余部先端を他方の前記連結部材本体１２ａに前記結合部材１２ｆにより取り付けて、残余の端部処理を行うのである。
【００３７】
以上の構成からなる前記ゴロ捕球用練習具１０の着用例及び前記ゴロ捕球用練習具１０により実現される捕球姿勢例を図３に示す。
【００３８】
図３に示すように、プレーヤーＰの頸部Ｎに、前記ゴロ捕球用練習具１０の前記頸部固定部材１１を巻回して、前記面ファスナ１１ｂと前記面ファスナ１１ｃとを接合し固定する。そして、プレイヤーＰの手首Ｗには前記前記ゴロ捕球用練習具１０の前記手首固定部材１３を巻回して前記固定用リング体１３ｂに前記前記手首固定部材本体１３ａの他端を通して、前記面ファスナ１３ｅと前記面ファスナ１３ｆとを接合して固定する。このとき、前記連結部材１２の長さを予め、ゴロを捕球する際に、ゴロに正対し膝を屈曲し腰を落とした体勢で上半身を前傾する姿勢となるように調整しておく。
【００３９】
したがって、前記ゴロ捕球用練習具１０を着用してゴロを捕球する際は、前記プレーヤーＰの捕球姿勢は、ゴロに正対し膝を屈曲し腰を落とした体勢で上半身を前傾する姿勢をとるように強制されるのである。そして、前記プレーヤーＰは、前記ゴロ捕球用練習具１０によりこのような捕球姿勢を強制的に強いられることによって、正しい捕球姿勢が身に付くようになるのである。
【００４０】
（第２実施形態）
【００４１】
図４は本発明に係るゴロ捕球用練習具２０の第２実施形態の斜視図である。図４に示すように、第２実施形態に係るゴロ捕球用練習具２０は、前記頸部Ｎに巻回する頸部固定材２１と、前記グラブＧを嵌める手の手首Ｗに巻回して固定する手首固定部を有する前記連結部材２２とから構成される。
【００４２】
前記頸部固定部材２１は、合成繊維、不織布又は合成皮革等で形成される帯状の頸部固定部材本体２１ａから形成されており、前記頸部固定部材本体２１ａの一端内側には係止用の面ファスナ２１ｂが縫着されると共に、前記頸部固定部材本体２１ａの他端外側には前記面ファスナ２１ｂに対応する位置に係止用の面ファスナ２１ｃが縫着されている。また、前記頸部固定部材本体２１ａには、連結用のリング体２１ｄが前記前記頸部固定部材本体１１ａに嵌挿されている。
【００４３】
前記連結部材２２は、前記頸部固定部材２１と同様に、合成繊維、不織布又は合成皮革等で形成される帯状の連結部材本体２２ａから形成されており、一端を環状に巻回して「日」状に形成された金属製の長さ調整金具２２ｃの中心を通して固定している。
【００４４】
前記連結部材２２の他端内側には前記手首固定用の面ファスナ２２ｅと、前記面ファスナ２２ｅより長さ方向一端側に設けた面ファスナ２２ｆとで手首固定部を形成している。なお、前記手首固定部は、前記プレーヤーＰの手首Ｗに巻回して固定されるが、前記グラブのリスト部ＧＷ（図９参照）に巻回して固定しても良い。
【００４５】
（第３実施形態）
【００４６】
図５は本発明に係るゴロ捕球用練習具３０の第３実施形態の斜視図である。図５に示すように、第３実施形態に係るゴロ捕球用練習具３０は、前記頸部Ｎに巻回する頸部固定材３１と、前記グラブＧを嵌める手の手首Ｗに巻回して固定する手首固定部３３を有する前記連結部材３２とから構成される。
【００４７】
前記頸部固定部材３１は、合成繊維、不織布又は合成皮革等で形成される帯状の頸部固定部材本体３１ａから形成されており、前記頸部固定部材本体３１ａの一端内側には係止用の面ファスナ３１ｂが縫着されると共に、前記頸部固定部材本体３１ａの他端外側には前記面ファスナ３１ｂに対応する位置に係止用の面ファスナ３１ｃが縫着されている。
【００４８】
前記連結部材３２は、前記頸部固定部材３１と同様に、合成繊維、不織布又は合成皮革等で形成される帯状の連結部材本体３２ａから形成されており、一端を前記頸部固定部材本体３１ａの適宜位置に縫着されている。前記連結部材本体３２ａの他端は環状に巻回され環状に形成された金属製の連結金具３２ｄを固定している。
【００４９】
前記手首固定部３３の一端は、前記連結金具３２ｄに巻回して固定されており、一端内側に前記手首Ｗ固定用の面ファスナ３３ｂを縫着すると共に、他端内側に面面ファスナ３３ｃを縫着しており、これらにより前記手首Ｗを巻回して固定するのである。なお、前記手首固定部は、前記プレーヤーＰの手首Ｗに巻回して固定されるが、前記グラブのリスト部ＧＷ（図９参照）に巻回して固定しても良い。
【００５０】
（第４実施形態）
【００５１】
図６は本発明に係るゴロ捕球用練習具４０の第４実施形態の斜視図である。図６に示すように、第４実施形態に係るゴロ捕球用練習具４０は、前記頸部Ｎに巻回する頸部固定材４１と、前記グラブＧを嵌める手の手首Ｗに巻回して固定する手首固定部４３を有する前記連結部材４２とから構成される。
【００５２】
前記頸部固定部材４１は、合成繊維、不織布又は合成皮革等で形成される帯状の頸部固定部材本体４１ａから形成されており、前記頸部固定部材本体４１ａの両端は折り返され縫着されており、該縫着部には鳩目４１ｂが取り付けられている。
【００５３】
前記連結部材４２は、合成繊維、不織布又は合成皮革等で形成される紐状の連結部材本体４２ａから形成されており、一端を前記頸部固定部材本体４１ａの鳩目４１ｂ、４１ｂに通して、前記鳩目４１ｂよりも径大の結び目をつくり、抜けないように固定している。
【００５４】
前記連結部材本体４２ａの他端には合成繊維、不織布又は合成皮革等で形成される帯状の手首固定部本体４３ａから形成される手首固定部４３を一体的に形成しており、前記手首固定部本体の一端内側には前記手首Ｗ固定用の面ファスナ４３ｂを縫着すると共に、他端内側に面面ファスナ４３ｃを縫着しており、これらにより前記手首Ｗを巻回して固定するのである。なお、前記手首固定部４３は、前記プレーヤーＰの手首Ｗに巻回して固定されるが、前記グラブのリスト部ＧＷ（図９参照）に巻回して固定しても良い。
【００５５】
（第５実施形態）
【００５６】
図７は本発明に係るゴロ捕球用練習具５０の第５実施形態の斜視図である。なお、本実施形態は、その構成の一部が前記第４実施形態と共通するので、共通する部材には同様の符号を付して説明を省略する。
【００５７】
図７に示すように、第５実施形態に係るゴロ捕球用練習具５０は、前記頸部固定材４１と、前記グラブＧを嵌める手の手首Ｗに巻回して固定する手首固定部を有する連結部材５２とから構成される。
【００５８】
前記連結部材５２は、合成繊維、不織布又は合成皮革等で形成される紐状の連結部材本体４２ａから形成されており、一端を前記頸部固定部材本体４１ａの鳩目４１ｂ、４１ｂに通して、前記鳩目４１ｂよりも径大の結び目をつくり、抜けないように固定している。
【００５９】
図８は第５実施形態の着用例及び実現される捕球姿勢例を示す概略図であり、図９は第５実施形態の着用例及び実現される捕球姿勢例を示す他の概略図である。
【００６０】
前記ゴロ捕球用練習具５０は、図８に示すように、前記プレーヤーＰの頸部Ｎに、前記ゴロ捕球用練習具５０の前記頸部固定部材４１を巻回する。そして前記連結部材５２の他端を前記プレーヤーＰの前記手首Ｗに巻き付けて結び固定して装着するのである。このとき、結ぶ箇所により、前記連結部材５２の長さを調整することができる。また、前記ゴロ捕球用練習具５０は、図９に示すように、前記連結部材５２の他端を前記プレーヤーＰが嵌めた前記グラブＧのリスト部ＧＷに巻き付けて結び固定して装着しても良い。
【００６１】
（第６実施形態）
【００６２】
図１０は本発明に係るゴロ捕球用練習具６０の第６実施形態の斜視図である。なお、本実施形態は、その構成の一部が前記第４実施形態と共通するので、共通する部材には同様の符号を付して説明を省略する。
【００６３】
図１０に示すように、第６実施形態に係るゴロ捕球用練習具６０は、前記頸部固定材４１と、前記グラブＧを嵌める手の手首Ｗに巻回して固定する手首固定部６３を有する連結部材６２とから構成される。
【００６４】
前記連結部材６２は、合成繊維、不織布又は合成皮革等で形成される紐状の連結部材本体６２ａから形成されており、一端を前記頸部固定部材本体４１ａの鳩目４１ｂ、４１ｂに通して、前記鳩目４１ｂよりも径大の結び目をつくり、抜けないように固定している。前記連結部材本体６２ａの他端は折り返して外方から紐を巻き付けて固定しており、前記折返し部には、紐状の手首固定部材６３の中心を結びつけて固定している。そして前記手首固定部材６３は一側６３ａと他側６３ｂとにより、前記プレーヤーの前記手首Ｗ又は前記グラブＧのリスト部ＧＷに巻き付け固定し装着するのである。
【００６５】
（第７実施形態）
【００６６】
図１１は本発明に係るゴロ捕球用練習具の第７実施形態の斜視図であり、図１２は同使用状態を示す斜視図である。なお、本実施形態は、その構成の一部が前記第１実施形態と共通するので、第１実施形態と共通する部材には同様の符号を付して説明を省略する。
【００６７】
図１１に示すように、前記ゴロ捕球用練習具７０は、前記プレーヤーＰの肩部Ｓに通して装着する上半身固定材７１と、前記グラブＧを嵌める手の前記手首Ｗに巻回して固定する手首固定部材１３と、前記肩部固定部材７１と前記手首固定部材１３とを連結する前記連結部材１２とから構成されている。
【００６８】
前記肩部固定部材７１は、合成繊維、不織布又は合成皮革等で形成される幅広の環状の肩部固定部材本体７１ａ，７１ａから形成されており、前記肩部固定部材本体７１ａ，７１ａの背面側において、環状の背面連結部材７１ｂにより、前記一方の前記肩部固定部材本体７１ａに巻回されて固定され、他方の前記前記肩部固定部材本体７１ａに巻き回して面ファスナ７１ｄ，７１ｄにより、前記プレーヤーＰの背面側で連結されている。
【００６９】
前記肩部固定部材本体７１ａ，７１ａの正面側には、前記連結部材１２を固定するための連結用リング体７１ｅ，７１ｅがそれぞれ嵌挿されている。
【００７０】
前記構成からなる前記ゴロ捕球用練習具７０を着用する場合は、図１２に示すように、前記
プレーヤーＰの両肩部Ｓ，Ｓに、前記ゴロ捕球用練習具１０の前記肩部固定部材７１の前記肩部固定部材本体７１ａ，７１ａを嵌め入れて、前記プレーヤーＰの背面において、前記連結部７１ｂによって、長さを調整しながら固定する。そして、前記連結用リング体７１ｅ，７１ｅを重ねた状態で、前記連結部材１２の連結用フック体１２ｂ，１２ｂに嵌め入れて固定するのである。
【００７１】
このとき、前記連結部材１２の長さを予め、ゴロを捕球する際に、ゴロに正対し膝を屈曲し腰を落とした体勢で上半身を前傾する姿勢となるように調整しておく。
【００７２】
したがって、前記ゴロ捕球用練習具７０を着用してゴロを捕球する際は、前記プレーヤーＰの捕球姿勢は、ゴロに正対し膝を屈曲し腰を落とした体勢で上半身を前傾する姿勢をとるように強制されるのである。そして、前記プレーヤーＰは、前記ゴロ捕球用練習具７０によりこのような捕球姿勢を強制的に強いられることによって、正しい捕球姿勢が身に付くようになるのである。
【００７３】
（第８実施形態）
【００７４】
図１３は本発明に係るゴロ捕球用練習具の第８実施形態の斜視図であり、図１４は長さ調整部材を示す斜視図であり、図１５は長さ調整を行った第８実施形態の連結部材の斜視図であり、図１６は同使用状態を示す斜視図である。なお、本実施形態は、その構成の一部が前記第１実施形態と共通するので、第１実施形態と共通する部材には同様の符号を付して説明を省略する。
【００７５】
図１３に示すように、本発明に係るゴロ捕球用練習具の第８実施形態のゴロ捕球用練習具８０は、連結部材８２の連結部材本体８２ａを湾曲自在の合成ゴム材で形成しており、前記連結部材本体８２ａの両端には、連結用フック体８２ｂ，８２ｂを夫々取り付けている。
【００７６】
前記連結用フック体８２ｂの先端は鈎状のフック８２ｃを形成しており、前記フック８２ｃの開放部には揺動可能な係止部８２ｄを前記フック８２ｃの先端内側において、外方に向かい付勢するように開閉自在に係合させている。また、前記連結用フック体８２ｂは、前記連結部材本体８２ａと着脱自在に取り付けられている。
【００７７】
図１４に示す長さ調節具８５は、金属板から形成されており、長方形状の長さ調節具本体８５ａの一端に中央に貫通孔８５ｃを穿設した環状部８５ｂを屈曲して形成すると共に、他端に外方と連通する長孔８５ｅを設けた湾曲部８５ｄを前記環状部８５ｂと同方向に屈曲して形成している。
【００７８】
そして、図１５に示すように、前記長さ調節具８５の前記貫通孔８５ｃに、予め、前記連結部材本体８２ａの一端を通しておき、前記長さ調節具本体８５ａに、前記連結部材本体８２ａが所望の長さになるまで巻き付けて長さを調節したうえで、前記長孔８５ｅに前記連結部材本体８２ａを通して固定するのである。
【００７９】
以上のように、長さ調整を行ったゴロ捕球用練習具８０を装着すると、図１６に示すように、ゴロを捕球する際は、前記プレーヤーＰの捕球姿勢は、ゴロに正対し膝を屈曲し腰を落とした体勢で上半身を前傾する姿勢をとるように強制されるのである。そして、前記プレーヤーＰは、前記ゴロ捕球用練習具８０によりこのような捕球姿勢を強制的に強いられることによって、正しい捕球姿勢が身に付くようになるのである。
【符号の説明】
【００８０】
１０    野球等のゴロ捕球用練習具
１１    頸部固定部材
１１ａ  頸部固定部材本体
１１ｂ  面ファスナ
１１ｃ  面ファスナ
１１ｄ  連結用リング体
１２    連結部材
１２ａ  連結部材本体
１２ｂ  連結用フック体
１２ｃ  フック
１２ｄ  係止部
１２ｅ  巻回用押さえ部
１２ｆ  結合部材
１２ｇ  第１強制嵌合溝
１２ｈ  第２強制嵌合溝
１３    手首固定部材
１３ａ  手首固定部材本体
１３ｂ  環状部
１３ｃ  連結用リング体
１３ｄ  固定用リング体
１３ｅ  面ファスナ
１３ｆ  面ファスナ
Ｐ    プレーヤー頸部Ｎ
Ｗ    手首
Ｇ    グラブ
ＧＷ  グラブのリスト部
【要約】
【課題】ゴロを捕球する際の正しい捕球姿勢である、ゴロに正対し、かつ、膝を屈曲し腰を落とした体勢で上半身を前傾する捕球姿勢を身につけるための野球等の守備用練習具を提供する。
【解決手段】上半身に装着する上半身固定部材と、一端を前記上半身固定部材に連結し、他端をグラブ又はグラブを着用する手首近傍に取り付け、ゴロの捕球体勢において、前記グラブと連動して前記上半身を前傾させる長さを備える連結部材とを備えるよう形成した。
【選択図】図３【図１】
0005563140.tif 000002
【図２】
0005563140.tif 000003
【図３】
0005563140.tif 000004
【図４】
0005563140.tif 000005
【図５】
0005563140.tif 000006
【図６】
0005563140.tif 000007
【図７】
0005563140.tif 000008
【図８】
0005563140.tif 000009
【図９】
0005563140.tif 000010
【図１０】
0005563140.tif 000011
【図１１】
0005563140.tif 000012
【図１２】
0005563140.tif 000013
【図１３】
0005563140.tif 000014
【図１４】
0005563140.tif 000015
【図１５】
0005563140.tif 000016
【図１６】
0005563140.tif 000017